(57)【要約】【課題】所定の条件を満たす特定の遊技者のみを入場させること。【解決手段】自動ドア制御装置１２０は、登録部５０１と、読込部５０２と、制御部５０３とを備えて構成される。登録部５０１は、遊技者を識別するためのカードＩＤを予め登録する。読込部５０２は、遊技者からの提示により、遊技者が保有する入場資格カードに記録されているカードＩＤを読み込む。制御部５０３は、読込部５０２によって読み込まれたカードＩＤが登録部５０１に登録されているカードＩＤである場合に、自動ドアを開放する制御をおこなう。【選択図】図５
2009233188.tif 000002
【特許請求の範囲】
【請求項１】
施錠可能な入場口に用いられ、遊技者の遊技場への入場制限をおこなう制御装置であって、
遊技者の年齢の情報が示された公的証明書を基に発行され、遊技者が保有するとともに、遊技者個人を識別するための識別情報を記録する記録媒体から、前記識別情報を読み込む読込手段と、
前記読込手段によって読み込まれた前記識別情報が予め登録されている識別情報である場合に、前記入場口からの入場を可能にする制御をおこなう制御手段と、
を備えることを特徴とする制御装置。
【請求項２】
前記記録媒体は、遊技者の年齢の情報が示された公的証明書を基に発行されたカード型の記録媒体であることを特徴とする請求項１に記載の制御装置。
【請求項３】
前記記録媒体は、遊技者の年齢の情報が示された公的証明書を基に発行され、各遊技場にて作成される会員カードであることを特徴とする請求項１に記載の制御装置。
【請求項４】
前記記録媒体は、非接触型ＩＣカードからなる記録媒体であることを特徴とする請求項１〜３のいずれか一つに記載の制御装置。
【請求項５】
前記記録媒体には、遊技者の年齢の情報が記録され、
前記読込手段は、前記記録媒体から前記年齢の情報を読み込み、
前記制御手段は、前記読込手段によって読み込まれた前記年齢の情報が所定の年齢以上の場合に、前記入場口からの入場を可能にする制御をおこなうことを特徴とする請求項１〜４のいずれか一つに記載の制御装置。
【請求項６】
施錠可能な入場口に用いられ、遊技者の遊技場への入場制限をおこなう制御装置であって、
遊技者の年齢の情報が示された公的証明書を基に発行され、遊技者が保有するとともに、遊技者を特定するための識別情報を記録する記録媒体から、前記識別情報を読み込む読込手段と、
前記読込手段によって読み込まれた前記識別情報を、自身を管理する管理装置に送信する送信手段と、
前記送信手段による送信を受けて、前記管理装置から入場の可否に関する情報を受信する受信手段と、
前記受信手段によって受信された入場の可否に関する情報に応じて、前記入場口からの入場を可能にする制御をおこなう制御手段と、
を備えることを特徴とする制御装置。
【請求項７】
遊技者の遊技場への入場制限をおこなう制御装置の管理をおこなう管理装置であって、
遊技者の年齢の情報が示された公的証明書を基に発行され、遊技者を特定するための識別情報と、当該識別情報に対応する遊技者の属性に関する情報とを格納する格納手段と、
前記制御装置によって読み込まれた前記識別情報を受信する受信手段と、
前記受信手段によって受信された前記識別情報と、前記格納手段に格納されている前記属性とを用い、当該遊技者が所定の条件を満たす場合に、入場可能と判定する判定手段と、
前記判定手段によって判定された判定結果を前記制御装置へ送信する送信手段と、
を備えることを特徴とする管理装置。
【請求項８】
前記格納手段は、前記属性に関する情報として遊技者の年齢の情報を格納し、
前記判定手段は、前記遊技者が一定の年齢以上の場合に、入場可能と判定することを特徴とする請求項７に記載の管理装置。
【請求項９】
前記格納手段は、前記属性に関する情報として過去の遊技者の不正行為の有無に関する情報を格納し、
前記判定手段は、前記格納手段に記録される前記不正行為の有無に関する情報を用い、当該遊技者に不正行為がある場合に、入場不可能と判定することを特徴とする請求項７に記載の管理装置。
【請求項１０】
施錠可能な入場口に用いられ、遊技者の遊技場への入場制限をおこなう制御装置の制御方法であって、
遊技者の年齢の情報が示された公的証明書を基に発行され、遊技者が保有するとともに、遊技者個人を識別するための識別情報を記録する記録媒体から、前記識別情報を読み込む読込工程と、
前記読込工程にて読み込まれた前記識別情報が予め登録されている識別情報である場合に、前記入場口からの入場を可能にする制御をおこなう制御工程と、
を含むことを特徴とする制御方法。
【請求項１１】
施錠可能な入場口に用いられ、遊技者の遊技場への入場制限をおこなう制御装置の制御方法であって、
遊技者の年齢の情報が示された公的証明書を基に発行され、遊技者が保有するとともに、遊技者を特定するための識別情報を記録する記録媒体から、前記識別情報を読み込む読込工程と、
前記読込工程にて読み込まれた前記識別情報を、自身を管理する管理装置に送信する送信工程と、
前記送信工程による送信を受けて、前記管理装置から入場の可否に関する情報を受信する受信工程と、
前記受信工程にて受信された入場の可否に関する情報に応じて、前記入場口からの入場を可能にする制御をおこなう制御工程と、
を含むことを特徴とする制御方法。
【請求項１２】
遊技者の年齢の情報が示された公的証明書を基に発行され、遊技者を特定するための識別情報と、当該識別情報に対応する遊技者の属性に関する情報とを格納する格納部を備えた管理装置の管理方法であって、
遊技場の入場口を制御する制御装置によって読み込まれた、前記識別情報を受信する受信工程と、
前記受信工程にて受信された前記識別情報と、前記格納部に格納されている前記属性とを用い、当該遊技者が所定の条件を満たす場合に、入場可能と判定する判定工程と、
前記判定工程によって判定された判定結果を前記制御装置へ送信する送信工程と、
を含むことを特徴とする管理方法。
【請求項１３】
請求項１０または１１に記載の制御方法をコンピュータに実行させることを特徴とする制御プログラム。
【請求項１４】
請求項１２に記載の管理方法をコンピュータに実行させることを特徴とする管理プログラム。
【請求項１５】
請求項１３または１４に記載のプログラムを記録したことを特徴とするコンピュータに読み取り可能な記録媒体。
【発明の詳細な説明】
【技術分野】
【０００１】
この発明は、遊技者の遊技場への入場を制限する、制御装置、管理装置、制御方法、管理方法、制御プログラム、管理プログラム、および記録媒体に関する。
【背景技術】
【０００２】
近年、パチンコ遊技機や回胴式遊技機（いわゆるスロット遊技機）などを設置した遊技場においては、遊技者の監視や、遊技場内の状況の把握のほか、遊技者による不正行為の防止などを目的として、テレビカメラ等を設置することが一般におこなわれている。
【０００３】
たとえば、閉店後に店内に隠れていた遊技者による犯罪行為などを防止したりするために、入場者数と退場者数とを検出し、この数を演算することにより、遊技場内の遊技者の人数を把握できるようにした技術が提案されている（たとえば、下記特許文献１参照。）。
【０００４】
【特許文献１】特開平８−１８２８４２号公報
【発明の開示】
【発明が解決しようとする課題】
【０００５】
しかしながら、上述した特許文献１の技術を含めた従来の技術では、テレビカメラなどによる監視や、遊技場内の人数を把握することは可能であっても、入場者の店内への出入りや遊技に対して、何の制限も設けることができないといった問題があった。すなわち、現在、遊技場においては、１８歳未満の人の遊技が禁止されているが、１８歳未満の人や、その他、店内への出入りが禁止されている人であっても、店内に自由に出入りができるとともに、自由に遊技をおこなえるのが現状である。特に、１８歳未満以下の人の遊技が公的機関に発覚した場合、遊技店は、営業停止の処分を受けることがあり、大きな損害を被るおそれがあるといった問題があった。
【０００６】
そこで、このような問題を解決するために、たとえば、店員が遊技者に対して身分証明書の提示を求め、身分が証明された者のみの入店および遊技を許可するといったことをおこなうことも可能である。しかしながら、このようなことをおこなうと、店員にとって負担となるばかりか、遊技者にとっても、身分証明書の提示を求められることによる煩わしさや不快さを感じるという懸念がある。
【０００７】
この発明は、上述した従来技術による問題点を解消するため、店員にとって負担となることなく、かつ、遊技者に不快感を与えることなく、所定の条件を満たす特定の遊技者のみを遊技場内に入場させることを目的とする。
【課題を解決するための手段】
【０００８】
上述した課題を解決し、目的を達成するため、この発明にかかる制御装置は、施錠可能な入場口に用いられ、遊技者の遊技場への入場制限をおこなう制御装置であって、遊技者の年齢の情報が示された公的証明書を基に発行され、遊技者が保有するとともに、遊技者個人を識別するための識別情報を記録する記録媒体から、前記識別情報を読み込む読込手段と、前記読込手段によって読み込まれた前記識別情報が予め登録されている識別情報である場合に、前記入場口からの入場を可能にする制御をおこなう制御手段と、を備えることを特徴とする。
【０００９】
この発明によれば、遊技者が所有する記録媒体の識別情報が予め登録されているものである場合に、当該遊技者の入場を許可することができる。なお、遊技者個人を識別するための識別情報は、記録媒体固有の識別情報であればよく、遊技者の氏名、生年月日といった個人情報までは必要としない。したがって、遊技者の個人情報を遊技店に開示することなく、遊技者の識別をおこなうことができる。
【００１０】
また、上記発明において、前記記録媒体は、遊技者の年齢の情報が示された公的証明書を基に発行されたカード型の記録媒体であることを特徴とする。この発明によれば、公的証明書を基に発行された任意のカードを記録媒体として用いることが可能になる。
【００１１】
また、上記発明において、前記記録媒体は、遊技者の年齢の情報が示された公的証明書を基に発行され、各遊技場にて作成される会員カードであることを特徴とする。この発明によれば、会員カードを保有する遊技者にのみ、入場を許可することができる。
【００１２】
また、上記発明において、前記記録媒体は、非接触型ＩＣカードからなる記録媒体であることを特徴とする。この発明によれば、記録されている情報の読み込みを迅速におこなうことができる。
【００１３】
また、上記発明において、制御装置は、前記記録媒体には、遊技者の年齢の情報が記録され、前記読込手段が、前記記録媒体から前記年齢の情報を読み込み、前記制御手段が、前記読込手段によって読み込まれた前記年齢の情報が所定の年齢以上の場合に、前記入場口からの入場を可能にする制御をおこなうことを特徴とする。この発明によれば、記録媒体に記録されている年齢の情報を用いて、入場口を入場可能にすることができる。
【００１４】
また、この発明にかかる制御装置は、施錠可能な入場口に用いられ、遊技者の遊技場への入場制限をおこなう制御装置であって、遊技者の年齢の情報が示された公的証明書を基に発行され、遊技者が保有するとともに、遊技者を特定するための識別情報を記録する記録媒体から、前記識別情報を読み込む読込手段と、前記読込手段によって読み込まれた前記識別情報を、自身を管理する管理装置に送信する送信手段と、前記送信手段による送信を受けて、前記管理装置から入場の可否に関する情報を受信する受信手段と、前記受信手段によって受信された入場の可否に関する情報に応じて、前記入場口からの入場を可能にする制御をおこなう制御手段と、を備えることを特徴とする。
【００１５】
この発明によれば、管理装置にて、識別情報に基づく入場の可否を判定できるとともに、管理装置による判定結果が入場可能な場合に入場を許可することができる。
【００１６】
また、この発明にかかる管理装置は、遊技者の遊技場への入場制限をおこなう制御装置の管理をおこなう管理装置であって、遊技者の年齢の情報が示された公的証明書を基に発行され、遊技者を特定するための識別情報と、当該識別情報に対応する遊技者の属性に関する情報とを格納する格納手段と、前記制御装置によって読み込まれた前記識別情報を受信する受信手段と、前記受信手段によって受信された前記識別情報と、前記格納手段に格納されている前記属性とを用い、当該遊技者が所定の条件を満たす場合に、入場可能と判定する判定手段と、前記判定手段によって判定された判定結果を前記制御装置へ送信する送信手段と、を備えることを特徴とする。
【００１７】
この発明によれば、制御装置にて読み込まれた識別情報を用いて、当該遊技者が入場可能か否かを判定し、当該判定結果を制御装置に送信することにより、制御装置では、判定結果に基づいて、入場の制御をおこなうことができる。
【００１８】
また、上記発明において、前記格納手段は、前記属性に関する情報として遊技者の年齢の情報を格納し、前記判定手段は、前記遊技者が一定の年齢以上の場合に、入場可能と判定することを特徴とする。この発明によれば、一定の年齢以上の遊技者に対してのみ入場を許可することができる。
【００１９】
また、上記発明において、前記格納手段は、前記属性に関する情報として過去の遊技者の不正行為の有無に関する情報を格納し、前記判定手段は、前記格納手段に記録される前記不正行為の有無に関する情報を用い、当該遊技者に不正行為がある場合に、入場不可能と判定することを特徴とする。この発明によれば、格納手段に格納されている不正行為の有無に関する情報を用い、当該遊技者に不正行為がある場合に入場させないようにすることができる。
【発明の効果】
【００２０】
本発明によれば、記録媒体に記録される識別情報に基づいて、入場可能に制御するようにしたので、店員への負担や、遊技者への不快感を与えることなく、所定の条件を満たす特定の遊技者に対してのみ入場を許可することができる。
【発明を実施するための最良の形態】
【００２１】
以下に添付図面を参照して、この発明にかかる制御装置、管理装置、制御方法、管理方法、制御プログラム、管理プログラム、および記録媒体の好適な実施の形態を詳細に説明する。
【００２２】
（実施の形態１）
（入場システムのシステム構成）
まず、実施の形態１にかかる入場システム１００のシステム構成について説明する。実施の形態１では、本発明の制御装置としての自動ドア制御装置１２０に遊技者を特定するための識別情報を登録しておく場合について説明する。なお、管理装置としてのホストコンピュータ１３０に遊技者の属性情報等を記録した場合については、実施の形態２にて後述する。
【００２３】
図１は、実施の形態１にかかる入場システム１００のシステム構成図である。図１において、入場システム１００は、本発明の入場口としての複数の自動ドア１１０−１〜１１０−ｎ（以下、単に「自動ドア１１０」と表記する）と、本発明の制御装置としての複数の自動ドア制御装置１２０−１〜１２０−ｎ（以下、単に「自動ドア制御装置１２０」と表記する）と、本発明の管理装置としてのホストコンピュータ１３０と、を備えている。自動ドア制御装置１２０とホストコンピュータ１３０とは、インターネット、ＬＡＮおよびＷＡＮなどのネットワークを介して接続されている。
【００２４】
なお、遊技場内における遊技システム１５０は、複数の遊技機１６０−１〜１６０−ｍ（以下、単に「遊技機１６０」と表記する）と、複数の遊技媒体貸出装置１７０−１〜１７０−ｎ（以下、単に「遊技媒体貸出装置１７０」と表記する）と、遊技機１６０および遊技媒体貸出装置１７０を管理するホストコンピュータ１３０と、を備えている。遊技媒体貸出装置１７０とホストコンピュータ１３０とは、インターネット、ＬＡＮおよびＷＡＮなどのネットワークを介して接続されている。なお、遊技システムの説明については、後述する。
【００２５】
自動ドア１１０は、遊技場の出入口に設置される。自動ドア１１０は、人や物体を検知するための、マットセンサ、超音波センサ、赤外線センサなどのセンサを備える。なお、このような自動ドア１１０に限らず、電子錠の施錠および解錠を制御する手動ドアであってもよい。また、ドアの種類としては、引き戸方式、開き戸方式、回転扉方式、ゲート方式などいずれの方式であってもよい。
【００２６】
自動ドア制御装置１２０は、それぞれ隣接する自動ドア１１０と一対一で設置／接続されており、自動ドア１１０の開閉を制御するコンピュータ装置である。自動ドア制御装置１２０は、遊技場外から遊技場内に入場する入場者に対して、以下に説明する所定の制御をおこない、入場を制限する。一方、遊技場内から遊技場外へ退場する退場者に対して制御をおこなわず、すなわち、退場者が自動ドア１１０に近付くと自動ドア１１０が開放するようになっている。
【００２７】
上述した所定の制御は、特定の遊技者のみの入場に制限するという制御である。具体的には、自動ドア制御装置１２０は、遊技者が保有する記録媒体としての入場資格カードから、たとえば、遊技者を特定するためのカードＩＤ（識別情報）を読み込み、当該カードＩＤが予め登録されているカードＩＤである場合に、自動ドア１１０を開放する制御をおこなう。なお、自動ドア１１０ではなく、入場口として電子錠を備えたものでは、電子錠を解錠する制御をおこなえばよい。なお、登録されるデータの詳細については、図２を用いて後述する。また、自動ドア制御装置１２０は、入場資格カードに年齢の情報が記録されている場合には、当該年齢の情報に基づき、自動ドア１１０の開閉を制御する。
【００２８】
遊技者が保有する入場資格カードは、遊技者の年齢の情報が示された公的証明書を基に発行されたものであり、１８歳以上を証明することのできるカードである。入場資格カードは、遊技者を特定するためのカードＩＤを有する。カードＩＤは、カードごとに設定される固有の識別情報である。入場資格カードは、カードＩＤを有し、予め自動ドア制御装置１２０に登録できるものであればいかなるものでも用いることが可能である。入場資格カードは、具体的には、たとえば、年齢の情報など個人情報が直接記録されていない、全遊技場共通の入場専用のカードなどである。
【００２９】
なお、入場資格カードを、ポイントが付与される会員カードとすれば、会員登録時に記録される遊技者の個人情報（住所、氏名、年齢等）を利用することにより、以後の当該遊技者に対するサービスなどに役立てることが可能となる。さらに、入場資格カードは、電子マネーの機能を有する。
【００３０】
また、入場資格カードには、非接触型ＩＣカードが用いられる。なお、非接触型ＩＣカードのほかにも、磁気記録部を有する接触型のカードや、非接触型ＩＣチップを搭載した携帯電話などを用いることも可能である。
【００３１】
また、記録媒体に、年齢の情報として生年月日の情報が記録されたものを用いることも可能である。具体的には、記録媒体として、ＩＣチップを搭載した携帯電話、全遊技場共通の遊技専用のカード、遊技場ごとに発行される会員カード、自動販売機にてタバコを購入するに際して必要となるタスポ（登録商標）、記名式のＳｕｉｃａ（登録商標）、ＩＣＯＣＡ（登録商標）、ｐａｓｍｏ（登録商標）などを用いることにより、直接、カード保有者の年齢の情報を読み込むことも可能である。なお、記録媒体に生年月日の情報が記録されている場合の処理については、図７を用いて後述する。
【００３２】
また、記録媒体には、年齢の情報として、生年月日の情報以外にも、カード発行時の年齢とカード発行日とが記録されたものを用いることも可能である。このようなカードを用い、カード発行時の年齢とカード発行日とを読み込むことにより、仮に、カード発行日に１８歳未満であったとしても、カード発行日から現在日時までの経過期日を算出することにより、現在日時において１８歳以上か否かを判断することが可能である。
【００３３】
ホストコンピュータ１３０は、自動ドア制御装置１２０を管理する。ホストコンピュータ１３０は、自動ドア制御装置１２０に対して、自動ドア１１０の制御に用いられるカードＩＤを更新させる。具体的には、ホストコンピュータ１３０は、ネットワークにより、カードを発行する発行センタなどに接続することによって取得した更新情報を自動ドア制御装置１２０に送信する。そして、自動ドア制御装置１２０は、この送信された情報により、カードＩＤを更新することが可能になっている。
【００３４】
（自動ドア制御装置が格納するデータ）
つぎに、図２を用いて、実施の形態１にかかる自動ドア制御装置１２０が格納するデータの一例について説明する。図２は、実施の形態１にかかる自動ドア制御装置１２０が格納するデータの一例を示す説明図である。図２に示すデータ２００は、入場資格カードのカードＩＤを示している。
【００３５】
カードＩＤは、入場資格カードごとに設定される固有の識別情報である。なお、入場資格カードのカードＩＤの登録に際しては、氏名や住所などの個人情報の登録を必須としない。言い換えれば、入場資格カードが遊技者の年齢の情報が示された公的証明書を基に発行されたものでありさえすれば、いかなる種別のカードでも登録することができる。
【００３６】
（自動ドア制御装置のハードウェア構成）
つぎに、図３を用いて、自動ドア制御装置１２０のハードウェア構成の一例について説明する。図３は、自動ドア制御装置１２０のハードウェア構成の一例を示すブロック図である。図３において、自動ドア制御装置１２０は、ＣＰＵ３０１と、ＲＯＭ３０２と、ＲＡＭ３０３と、磁気ディスクドライブ３０４と、磁気ディスク３０５と、ＩＣカードリーダ３０６と、映像Ｉ／Ｆ３０７と、ディスプレイ３０８と、通信Ｉ／Ｆ３０９と、自動ドアＩ／Ｆ３１０と、を備えている。また、各構成部３０１〜３１０はバス３２０によってそれぞれ接続されている。
【００３７】
ＣＰＵ３０１は、自動ドア制御装置１２０全体の制御を司る。ＲＯＭ３０２は、ブートプログラム、通信プログラム、制御プログラムなどのプログラムを記録している。ＲＡＭ３０３は、ＣＰＵ３０１のワークエリアとして使用される。
【００３８】
制御プログラムは、ＩＣカードリーダ３０６が読み取った、入場資格カードに記録されているカードＩＤが、磁気ディスクに登録されているカードＩＤであるか否かを判断することにより、自動ドア１１０を開放または閉鎖するプログラムである。また、制御プログラムは、年齢の情報が記録されている入場資格カードから、ＩＣカードリーダ３０６が読み取った当該年齢の情報に応じて、自動ドア１１０を開放または閉鎖するプログラムである。
【００３９】
磁気ディスクドライブ３０４は、ＣＰＵ３０１の制御にしたがって、磁気ディスク３０５に対するデータの読み取り／書き込みを制御する。磁気ディスク３０５は、磁気ディスクドライブ３０４の制御によって書き込まれたデータを記録する。磁気ディスク３０５としては、たとえば、ＨＤ（ハードディスク）や、ＦＤ（フレキシブルディスク）を用いることができる。磁気ディスク３０５には、図２に示したデータ２００が格納されている。
【００４０】
映像Ｉ／Ｆ３０７は、ディスプレイ３０８と接続される。ディスプレイ３０８には、入場資格カードの認証に成功した旨や失敗した旨のほか、解錠する旨や施錠する旨などが表示される。通信Ｉ／Ｆ３０９は、ホストコンピュータ１３０にネットワークにより接続され、ＣＰＵ３０１のインタフェースとして機能する。自動ドアＩ／Ｆ３１０は、自動ドア１１０に接続され、ＣＰＵ３０１とのインタフェースとして機能する。
【００４１】
（ホストコンピュータのハードウェア構成）
つぎに、図４を用いて、ホストコンピュータ１３０のハードウェア構成の一例について説明する。図４は、ホストコンピュータ１３０のハードウェア構成の一例を示すブロック図である。図４において、ホストコンピュータ１３０は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インタフェース）４０８と、スピーカ４０９と、入力デバイス４１０と、映像Ｉ／Ｆ４１１と、ディスプレイ４１２と、通信Ｉ／Ｆ４１３とを備えている。また、各構成部４０１〜４１３はバス４２０によってそれぞれ接続されている。
【００４２】
ＣＰＵ４０１は、ホストコンピュータ１３０全体の制御を司る。ＲＯＭ４０２は、ブートプログラム、通信プログラムなどのプログラムを記録している。ＲＡＭ４０３は、ＣＰＵ４０１のワークエリアとして使用される。
【００４３】
磁気ディスクドライブ４０４は、ＣＰＵ４０１の制御にしたがって、磁気ディスク４０５に対するデータの読み取り／書き込みを制御する。磁気ディスク４０５は、磁気ディスクドライブ４０４の制御によって書き込まれたデータを記録する。磁気ディスク４０５としては、たとえば、ＨＤ（ハードディスク）や、ＦＤ（フレキシブルディスク）を用いることができる。
【００４４】
光ディスクドライブ４０６は、ＣＰＵ４０１の制御にしたがって、光ディスク４０７に対するデータの読み取り／書き込みを制御する。光ディスク４０７は、光ディスクドライブ４０６の制御にしたがってデータの読み出される着脱自在な記録媒体である。光ディスク４０７は、書き込み可能な記録媒体を利用することもできる。また、この着脱自在な記録媒体として、光ディスク４０７のほかに、ＭＯ、メモリカードなどであってもよい。
【００４５】
音声Ｉ／Ｆ４０８は、音声出力用のスピーカ４０９に接続される。スピーカ４０９は、音声を出力する。入力デバイス４１０は、文字、数値、各種指示などの入力のための複数のキーを備えたリモコン、キーボード、マウス、タッチパネルなどが挙げられる。この入力デバイス４１０を用いて、店員による各種設定や処理に対する操作がおこなわれる。
【００４６】
映像Ｉ／Ｆ４１１は、ディスプレイ４１２と接続される。映像Ｉ／Ｆ４１１は、具体的には、たとえば、ディスプレイ４１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ４１２を表示制御する制御ＩＣなどによって構成される。
【００４７】
ディスプレイ４１２には、アイコン、カーソル、メニュー、ウィンドウ、または文字や画像などの各種データが表示される。このディスプレイ４１２は、たとえば、ＣＲＴ、ＴＦＴ液晶ディスプレイ、プラズマディスプレイなどを採用することができる。通信Ｉ／Ｆ４１３は、ネットワークによりホストコンピュータ１３０に接続され、ＣＰＵ４０１とのインタフェースとして機能する。
【００４８】
（自動ドアおよび自動ドア制御装置の機能的構成）
つぎに、図５を用いて、実施の形態１にかかる自動ドア１１０および自動ドア制御装置１２０の機能的構成について説明する。図５は、実施の形態１にかかる自動ドア１１０および自動ドア制御装置１２０の機能的構成を示すブロック図である。
【００４９】
図５において、自動ドア制御装置１２０は、登録部５０１と、読込部５０２と、制御部５０３と、を備えて構成される。登録部５０１は、磁気ディスク３０５によって実現され、入場資格カードのカードＩＤを登録する。読込部５０２は、ＩＣカードリーダ３０６によって実現され、入場資格カードに記録されるカードＩＤを読み込む。なお、読込部５０２は、入場資格カードに年齢の情報が記録されている場合には、当該年齢の情報を読み込む。
【００５０】
制御部５０３は、読込部５０２によって読み込まれたカードＩＤが登録部５０１に登録されているカードＩＤである場合に、自動ドア１１０の開閉部５１１を開閉させる制御をおこなう。なお、詳細には、制御部５０３は、開閉部５１１の駆動部を制御することにより開閉部５１１を開閉させる。また、制御部５０３は、読込部５０２によって読み込まれた情報が登録されていない場合に、開閉部５１１を閉鎖させる。また、入場資格カードに年齢の情報が記録されている場合には、制御部５０３は、入場資格カードの年齢に応じて開閉部５１１を開閉させる制御をおこなう。
【００５１】
制御部５０３は、図３に示したＣＰＵ３０１によって実現される。すなわち、ＣＰＵ３０１が制御プログラムを実行することにより制御部５０３を実現する。
【００５２】
（自動ドア制御装置による制御処理手順）
つぎに、図６を用いて、実施の形態１にかかる自動ドア制御装置１２０による制御処理手順の一例について説明する。図６は、実施の形態１にかかる自動ドア制御装置１２０による制御処理手順の一例を示すフローチャートである。図６に示すフローチャートでは、入場資格カードに記録される、入場資格カードのカードＩＤに基づいて自動ドア１１０を制御する場合の処理について説明する。なお、図６においては、自動ドア１１０の開閉部５１１は閉鎖した状態に制御されていることを前提とする。
【００５３】
図６において、まず、遊技者からの提示により、自動ドア制御装置１２０のＩＣカードリーダ３０６が入場資格カードのカードＩＤを読み込んだか否かを判断する（ステップＳ６０１）。入場資格カードのカードＩＤを読み込むまで待機状態にあり（ステップＳ６０１：Ｎｏのループ）、入場資格カードのカードＩＤを読み込むと（ステップＳ６０１：Ｙｅｓ）、読み込んだカードＩＤが予め登録されているカードＩＤか否かを判断する（ステップＳ６０２）。
【００５４】
ステップＳ６０２において、予め登録されているカードＩＤであると判断した場合（ステップＳ６０２：Ｙｅｓ）、自動ドア１１０を開放する制御をおこなう（ステップＳ６０３）。そして、遊技者が遊技場内に入場する。このあと、所定時間経過したか否かを判断する（ステップＳ６０４）。所定時間は、自動ドア１１０の通過に要する程度の時間であり、数秒程度である。
【００５５】
ステップＳ６０４において、所定時間経過していないと判断した場合（ステップＳ６０４：Ｎｏ）、ステップＳ６０３に移行する。所定時間経過したと判断した場合（ステップＳ６０４：Ｙｅｓ）、自動ドア１１０を閉鎖する制御をおこない（ステップＳ６０５）、一連の処理を終了する。一方、ステップＳ６０２において、読み込んだカードＩＤが予め登録されているカードＩＤではないと判断した場合（ステップＳ６０２：Ｎｏ）、自動ドア１１０の開閉部５１１を閉鎖する制御を保持し（ステップＳ６０６）、一連の処理を終了する。
【００５６】
上述した処理によれば、公的証明書を基に発行された入場資格カードから読み込んだカードＩＤが、予め登録されているカードＩＤである場合に、自動ドア１１０を開放させるようにしたので、遊技者の個人情報を遊技店に開示することなく、カードＩＤが登録されているか、または未登録かということのみに基づいて、遊技者の入場を制限することができる。したがって、遊技者に対し、個人情報が用いられることによる抵抗感や不快感を与えることなく、遊技場への入場の制限をおこなうことができる。
【００５７】
また、遊技者の年齢の情報が示された公的証明書を基に発行されたカード型の記録媒体を用いたので、自動ドア制御装置１２０への登録さえ可能であれば、公的証明書を基に発行された任意のカードを記録媒体として用いることが可能になる。
【００５８】
また、各遊技場にて作成される会員カードを記録媒体として用いるようにすれば、たとえば、会員登録時に記録される遊技者の個人情報（住所、氏名、年齢等）を利用することにより、入店によるポイントの付与など、以後の当該遊技者に対するサービスなどに役立てることが可能となる。また、遊技場ごとに入場を認めた会員にのみ、入場させることができる。
【００５９】
また、記録媒体には、非接触型ＩＣカードを用いたので、記録面の接触による摩耗などの損傷などがなく、長期間使用可能であるとともに、迅速に情報を読み込むことができる。
【００６０】
（自動ドア制御装置による他の制御処理手順）
つぎに、図７を用いて、実施の形態１にかかる自動ドア制御装置１２０による他の制御処理手順の一例について説明する。図７は、実施の形態１にかかる自動ドア制御装置１２０による他の制御処理手順の一例を示すフローチャートである。図７に示すフローチャートでは、入場資格カードに記録される生年月日の情報に基づいて、自動ドア１１０を制御する場合の処理について説明する。なお、図７においては、自動ドア１１０の開閉部５１１は閉鎖した状態に制御されていることを前提とする。
【００６１】
図７において、まず、遊技者からの提示により、自動ドア制御装置１２０のＩＣカードリーダ３０６が入場資格カードに記録されている年齢の情報を読み込んだか否かを判断する（ステップＳ７０１）。年齢の情報を読み込むまで待機状態にあり（ステップＳ７０１：Ｎｏのループ）、年齢の情報を読み込むと（ステップＳ７０１：Ｙｅｓ）、読み込んだ年齢が所定の年齢以上か否かを判断する（ステップＳ７０２）。ステップＳ７０２においては、具体的には１８歳以上か否かを判断する。
【００６２】
ステップＳ７０２において、所定の年齢以上であると判断した場合（ステップＳ７０２：Ｙｅｓ）、自動ドア１１０を開放する制御をおこなう（ステップＳ７０３）。そして、遊技者が遊技場内に入場する。このあと、所定時間経過したか否かを判断する（ステップＳ７０４）。所定時間経過していないと判断した場合（ステップＳ７０４：Ｎｏ）、ステップＳ７０３に移行する。
【００６３】
所定時間経過したと判断した場合（ステップＳ７０４：Ｙｅｓ）、自動ドア１１０を閉鎖する制御をおこない（ステップＳ７０５）、一連の処理を終了する。一方、ステップＳ７０２において、所定の年齢以上ではないと判断した場合（ステップＳ７０２：Ｎｏ）、自動ドア１１０を閉鎖する制御を保持し（ステップＳ７０６）、一連の処理を終了する。
【００６４】
上述した処理によれば、入場資格カードに記録される年齢の情報を読み込み、当該年齢が年齢の情報が所定の年齢以上の場合に、自動ドア１１０を開放させるようにしたので、年齢の情報が記録されている入場資格カードを用いて、入場制限をおこなうことができる。
【００６５】
なお、入場資格カードにカードＩＤおよび年齢の情報が記録されている場合であって、ＩＣカードリーダ３０６にてカードＩＤおよび年齢の情報を読み込んだ場合、いずれか一方の情報を用いて自動ドア１１０の制御をおこなえばよい。すなわち、この場合、予め登録した、図６に示したフローチャートの処理、または図７に示したフローチャートの処理のいずれか一方の処理をおこなえばよい。
【００６６】
（実施の形態２）
つぎに、本発明の実施の形態２について説明する。なお、実施の形態２においては、実施の形態１と同様の構成には同様の符号を付し、詳細な説明を省略する。実施の形態２は、ホストコンピュータ１３０によって、遊技者の属性情報を加味した入場の制限をおこなうようにした場合について説明する。
【００６７】
実施の形態２において、自動ドア制御装置１２０は、記録媒体としての入場資格カードから、所有者を特定するためのカードＩＤを読み込むとともに、当該カードＩＤをホストコンピュータ１３０に送信する機能を有している。ここで、図４に示したホストコンピュータ１３０のハードウェア構成について、実施の形態１と異なる点について補足しておく。ホストコンピュータ１３０は、格納部としての磁気ディスク４０５に、遊技者が保有する入場資格カードのカードＩＤと、遊技者の属性に関する情報とを格納している。
【００６８】
また、実施の形態２において、ＲＯＭ４０２は、管理プログラムを記録している。管理プログラムは、自動ドア制御装置１２０から受信したカードＩＤと、磁気ディスク４０５に記録されている遊技者の属性とを用い、当該遊技者が入場可能な者か否かを判定するとともに、判定結果を自動ドア制御装置１２０に送信するプログラムである。なお、実施の形態２では、入場資格カードには、年齢の情報が記載されていないものとする。
【００６９】
（実施の形態２にかかるホストコンピュータが格納するデータ）
つぎに、図８を用いて、実施の形態２にかかるホストコンピュータ１３０が格納するデータの一例について説明する。図８は、実施の形態２にかかるホストコンピュータ１３０が格納するデータの一例を示す説明図である。図８において、データ８００は、カードＩＤと遊技者の属性とをそれぞれ対応付けられて、磁気ディスク４０５に格納されている。
【００７０】
カードＩＤは、上述したように、遊技者が保有する入場資格カードごとに付される識別情報である。属性は、１８歳以上か否かを示した情報と、過去の不正行為の有無に関する情報とからなる。なお、不正行為は、たとえば、遊技機１６０によって検出可能な不正であり、具体的には、台を叩いたり、磁石を用いたりする不正であり、遊技機１６０または遊技媒体貸出装置によって検出される。
【００７１】
符号８０１に示すカードＩＤの入場資格カードを保有する遊技者は、１８歳以上であり、不正行為がない旨を示している。一方、符号８０２に示すカードＩＤの入場資格カードを保有する遊技者は、１８歳未満である旨を示している。また、符号８０３に示すカードＩＤの入場資格カードを保有する遊技者は、過去に不正行為がある旨を示している。なお、不正行為の有無については、たとえば、過去の３年以内における不正行為の有無を記録するようにしてもよいし、不正行為の回数が所定回数以上ある場合に不正行為があるものとして記録するようにしてもよい。
【００７２】
（実施の形態２にかかる入場システムの機能的構成）
つぎに、図９を用いて、実施の形態２にかかる入場システム９００の機能的構成について説明する。図９は、実施の形態２にかかる入場システム９００の機能的構成を示すブロック図である。図９において、入場システム９００は、複数の自動ドア１１０と、複数の自動ドア制御装置１２０と、ホストコンピュータ１３０とを備えて構成される。
【００７３】
自動ドア制御装置１２０は、読込部９０１と、送信部９０２と、受信部９０３と、制御部９０４とを備えて構成される。読込部９０１は、遊技者が保有する入場資格カードから、当該カードのカードＩＤを読み込む。読込部９０１は、実施の形態１と同様に、図３に示したＩＣカードリーダ３０６によって実現される。送信部９０２は、読込部９０１が読み込んだカードＩＤをホストコンピュータ１３０に送信する。受信部９０３は、送信部９０２による送信を受けて、ホストコンピュータ１３０から入場の可否に関する情報を受信する。送信部９０２および受信部９０３は、実施の形態１と同様に、図３に示した通信Ｉ／Ｆ３０９によって実現される。
【００７４】
制御部９０４は、受信部９０３によって受信された入場の可否に関する情報に応じて、自動ドアの開閉を制御する。制御部９０４は、受信部９０３によって入場可能な旨の情報が受信された場合に、自動ドア１１０を開放する制御をおこなう一方、受信部９０３によって入場不可能な旨の情報が受信された場合には、自動ドア１１０を閉鎖する制御をおこなう。
【００７５】
ホストコンピュータ１３０は、格納部９２１と、受信部９２２と、判定部９２３と、送信部９２４と、を備えて構成される。格納部９２１は、図４に示した磁気ディスク４０５に相当し、入場資格カードのカードＩＤと、当該カードＩＤに対応する遊技者の属性に関する情報とを格納する。また、格納部９２１は、図８に示したデータ８００を格納する。すなわち、格納部９２１は、遊技者の属性に関する情報として遊技者の年齢の情報と、遊技者の不正行為の有無に関する情報とを、カードＩＤに対応付けて格納する。
【００７６】
受信部９２２は、自動ドア制御装置１２０の送信部９０２から送信された入場資格カードのカードＩＤを受信する。受信部９２２は、図４に示した通信Ｉ／Ｆ４１３によって実現される。
【００７７】
判定部９２３は、受信部９２２によって受信されたカードＩＤと、格納部９２１に格納されている遊技者の属性とを用い、当該遊技者が所定の条件を満たす場合に、入場可能と判定する。所定の条件は、１８歳以上であり、かつ、不正行為がないことである。つまり、判定部９２３は、遊技者が１８歳以上であり、不正行為がないと判定した場合に、入場可能と判定する。
【００７８】
なお、所定の条件としては、年齢および不正行為の有無に限らず、遊技者のマナーなどを含めることも可能である。この場合、格納部９２１に、たとえば、遊技店独自のルールを守らない遊技態度の悪い遊技者を記録しておき、判定部９２３が、当該遊技者を、所定の条件を満たさないものとして判定すればよい。判定部９２３は、図５に示したＣＰＵ４０１によって実現される。すなわち、ＣＰＵ４０１が管理プログラムを実行することにより、判定部９２３が実現される。
【００７９】
送信部９２４は、判定部９２３によって判定された判定結果を自動ドア制御装置１２０へ送信する。送信部９２４は、図４に示した通信Ｉ／Ｆ４１３によって実現される。
【００８０】
（入場システムによる制御処理手順）
つぎに、図１０を用いて、実施の形態２にかかる入場システム９００による制御処理手順の一例について説明する。図１０は、実施の形態２にかかる入場システム９００による制御処理手順の一例を示すシーケンス図である。なお、図１０においては、自動ドア１１０の開閉部５１１は閉鎖した状態に制御されていることを前提とする。
【００８１】
図１０において、まず、遊技者からの提示により、自動ドア制御装置１２０のＩＣカードリーダ３０６が入場資格カードのカードＩＤを読み込んだか否かを判断する（ステップＳ１００１）。カードＩＤを読み込むまで待機状態にあり（ステップＳ１００１：Ｎｏのループ）、カードＩＤを読み込むと（ステップＳ１００１：Ｙｅｓ）、ＣＰＵ３０１が通信Ｉ／Ｆ３０９を制御して、読み込んだカードＩＤをホストコンピュータ１３０に送信する（ステップＳ１００２）。
【００８２】
一方、ホストコンピュータ１３０は、通信Ｉ／Ｆ４１３により、自動ドア制御装置１２０からカードＩＤを受信するまで待機状態にある（ステップＳ１００３：Ｎｏのループ）。カードＩＤを受信すると（ステップＳ１００３：Ｙｅｓ）、カードＩＤに対応する属性が所定の条件を満たすか否かを判断する（ステップＳ１００４）。なお、所定の条件は、１８歳以上であり、かつ、不正行為の履歴がないことである。ステップＳ１００４において、所定の条件を満たすと判断した場合（ステップＳ１００４：Ｙｅｓ）、入場可能な旨の判定結果を自動ドア制御装置１２０へ送信し（ステップＳ１００５）、一連の処理を終了する。
【００８３】
ステップＳ１００４において、所定の条件を満たさないと判断した場合（ステップＳ１００４：Ｎｏ）、入場不可能な旨の判定結果を自動ドア制御装置１２０へ送信し（ステップＳ１００６）、一連の処理を終了する。
【００８４】
自動ドア制御装置１２０は、判定結果を受信するまで待機状態にあり（ステップＳ１００７：Ｎｏのループ）、判定結果を受信すると（ステップＳ１００７：Ｙｅｓ）、入場可能な旨の判定結果か否かを判断する（ステップＳ１００８）。入場可能な旨の判定結果であると判断すると（ステップＳ１００８：Ｙｅｓ）、自動ドア１１０を開放する制御をおこなう（ステップＳ１００９）。
【００８５】
そして、所定時間経過したか否かを判断する（ステップＳ１０１０）。所定時間経過していないと判断した場合（ステップＳ１０１０：Ｎｏ）、ステップＳ１００９に移行する。所定時間経過したと判断した場合（ステップＳ１０１０：Ｙｅｓ）、自動ドア１１０を閉鎖する制御をおこない（ステップＳ１０１１）、一連の処理を終了する。一方、ステップＳ１００８において、入場可能な旨の判定結果ではないと判断した場合（ステップＳ１００８：Ｎｏ）、すなわち、入場不可能な旨の判定結果であると判断した場合、自動ドア１１０を閉鎖する制御を保持し（ステップＳ１０１２）、一連の処理を終了する。
【００８６】
上述した処理によれば、入場資格カードに記録されるカードＩＤが予め登録されたものであり、かつ、遊技者の属性を加味した所定の条件を満たす場合に、入場可能に制御するようにしたので、遊技者の個人情報を遊技店に開示することなく、カードＩＤに対応する属性のみに基づいて、遊技者の入場を制限することができる。
【００８７】
なお、上述した処理では、属性の情報として年齢の情報のみを用いる場合は、図８に示したデータ８００を用いない構成とすることも可能である。すなわち、たとえば、クレジットカードなどのカードＩＤを用いて、ホストコンピュータ１３０がカード発行センタに照会することにより、年齢の確認をおこない、当該確認結果を入場可能か否かの判定結果とすることも可能である。
【００８８】
なお、実施の形態２において、過去に不正行為がある場合は、当該入場資格カードを用いて入場することができないが、公的証明書のみを基に入場資格カードが発行できてしまうと、当該遊技者が他の入場資格カードを発行することにより遊技場への入場が可能になってしまう。そのため、実施の形態２においては、入場資格カードを発行する際に、過去に不正行為などがあるか否かの審査を踏んだ上で、入場資格カードを発行する。したがって、入場資格カードの発行元は、入場資格カードの発行に際し、いわゆるブラックリストとして、不正行為をおこなった遊技者の個人情報（氏名、生年月日、不正行為あり等の情報）を取得しておく必要がある。
【００８９】
上述した実施の形態１および２で説明した自動ドア１１０に対する制御を、遊技機１６０に対しておこなうことも可能である。具体的には、図１に示した遊技システム１５０によって実現可能である。この場合、遊技機１６０を制御する遊技媒体貸出装置１７０にＩＣカードリーダを設け、遊技者から提示される入場資格カードを遊技資格カードとして用いる。すなわち、図６、図７、図１０において、自動ドア制御装置１２０が自動ドア１１０に対しておこなう処理と同様の処理を、遊技媒体貸出装置１７０が遊技機１６０に対しておこなうことにより、遊技機１６０に対する遊技の制御をおこなうことが可能である。
【００９０】
より具体的には、遊技媒体貸出装置１７０のＩＣカードリーダが読み込んだカードＩＤが予め登録されているものである場合や、ＩＣカードリーダが読み込んだ年齢の情報が所定の年齢以上の場合のほか、カードＩＤに対応する遊技者の属性が所定の条件を満たす場合に、遊技機１６０を遊技可能に制御すればよい。
【００９１】
このような遊技制限をおこなうようにすれば、入場制限および遊技制限により二重のチェックをおこなうことができ、仮に遊技が認められていない人が他の遊技客に紛れ込んで遊技場内に入場した場合であっても、当該入場者に対する遊技をおこなわせないようにすることができる。
【００９２】
以上説明したように、本実施の形態にかかる制御装置、管理装置、制御方法、管理方法、制御プログラム、管理プログラム、および記録媒体によれば、遊技者が所有する記録媒体を用いて、入場制限をおこなうようにしたので、店員への負担や、遊技者への不快感を与えることなく、所定の条件を満たす特定の遊技者に対してのみ入場させることができる。
【００９３】
なお、本実施の形態で説明した制御方法および管理方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００９４】
以上のように、本発明にかかる制御装置、管理装置、制御方法、管理方法、制御プログラム、管理プログラム、および記録媒体は、パチンコ遊技機、スロット遊技機、その他各種遊技機に有用であり、特に、遊技機に対する入場制限をおこなうようにしたパチンコホールやゲームセンタ（プレイランド）での設置、使用に適している。
【図面の簡単な説明】
【００９５】
【図１】実施の形態１にかかる入場システムのシステム構成図である。
【図２】実施の形態１にかかる自動ドア制御装置が格納するデータの一例を示す説明図である。
【図３】自動ドア制御装置のハードウェア構成の一例を示すブロック図である。
【図４】ホストコンピュータのハードウェア構成の一例を示すブロック図である。
【図５】実施の形態１にかかる自動ドアおよび自動ドア制御装置の機能的構成を示すブロック図である。
【図６】実施の形態１にかかる自動ドア制御装置による制御処理手順の一例を示すフローチャートである。
【図７】実施の形態１にかかる自動ドア制御装置による他の制御処理手順の一例を示すフローチャートである。
【図８】実施の形態２にかかるホストコンピュータが格納するデータの一例を示す説明図である。
【図９】実施の形態２にかかる入場システムの機能的構成を示すブロック図である。
【図１０】実施の形態２にかかる入場システムによる制御処理手順の一例を示すシーケンス図である。
【符号の説明】
【００９６】
１００  入場システム
１１０  自動ドア
１２０  自動ドア制御装置
１３０  ホストコンピュータ
３０６  ＩＣカードリーダ
５０１  登録部
５０２  読込部
５０３  制御部
５１１  開閉部
９００  入場システム
９０１  読込部
９０２  送信部
９０３  受信部
９０４  制御部
９２１  格納部
９２２  受信部
９２３  判定部
９２４  送信部
【図１】
2009233188.tif 000003
【図２】
2009233188.tif 000004
【図３】
2009233188.tif 000005
【図４】
2009233188.tif 000006
【図５】
2009233188.tif 000007
【図６】
2009233188.tif 000008
【図７】
2009233188.tif 000009
【図８】
2009233188.tif 000010
【図９】
2009233188.tif 000011
【図１０】
2009233188.tif 000012